(57)【要約】【課題】本発明は、各製品毎にテレ端位置及びワイド端位置における照射角にバラツキが生じることのない照射角可変ストロボ装置及びこれにおけるテレ端位置又はワイド端位置の特定方法を提供する。【解決手段】移動する閃光放電管１及び反射傘２が適宜位置に位置したことをそれぞれ検出する位置検出手段１５により両者の検出位置間隔を求め、これに応じて何れか一方の検出位置からテレ端位置又はワイド端位置までの距離を決定し、これに基づいてテレ端位置又はワイド端位置を特定する。【選択図】  図５
2005031173.tif 000002
【特許請求の範囲】
【請求項１】
閃光放電管と、該閃光放電管を内挿する有底形状からなる反射傘と、該反射傘の前方に配置される光制御部材とを備え、反射傘が光制御部材に接離する方向に移動可能で且つ閃光放電管が反射傘よりも大きい移動ストロークを以て該反射傘と同期して光制御部材に接離する方向に移動可能に構成されてなる照射角可変ストロボ装置であって、移動する閃光放電管及び反射傘が適宜位置に位置したことをそれぞれ検出する位置検出手段を備え、両者の検出位置間隔に応じて決定される何れか一方の検出位置からテレ端位置又はワイド端位置までの距離に基づき、テレ端位置又はワイド端位置を特定することを特徴とする照射角可変ストロボ装置。
【請求項２】
前記検出位置間隔と何れか一方の検出位置からテレ端位置又はワイド端位置までの距離との対応関係を規定するテーブルを参酌することにより、何れか一方の検出位置からテレ端位置又はワイド端位置までの距離を決定する請求項１記載の照射角可変ストロボ装置。
【請求項３】
閃光放電管と、該閃光放電管を内挿する有底形状からなる反射傘と、該反射傘の前方に配置される光制御部材とを備え、反射傘が光制御部材に接離する方向に移動可能で且つ閃光放電管が反射傘よりも大きい移動ストロークを以て該反射傘と同期して光制御部材に接離する方向に移動可能に構成されてなる照射角可変ストロボ装置におけるテレ端位置又はワイド端位置の特定方法であって、移動する閃光放電管及び反射傘が適宜位置に位置したことをそれぞれ検出する位置検出手段により両者の検出位置間隔を求め、これに応じて何れか一方の検出位置からテレ端位置又はワイド端位置までの距離を決定し、これに基づいてテレ端位置又はワイド端位置を特定することを特徴とする照射角可変ストロボ装置におけるテレ端位置又はワイド端位置の特定方法。
【発明の詳細な説明】
【０００１】
【発明の属する技術分野】
本発明は、広角撮影時と望遠撮影時とで発光の照射角を可変にできる照射角可変ストロボ装置に関する。
【０００２】
【従来の技術】
従来より、光源としての閃光放電管、反射傘及び光制御部材であるフレネルレンズ等からなる発光部より射出される射出光の照射角を、撮影に使用する撮影レンズの焦点距離に応じて制御するように構成されたいわゆる照射角可変ストロボ装置は、種々、実用化あるいは提案されている。
【０００３】
従来の照射角可変ストロボ装置については、反射傘の前面に配置される光制御部材を反射傘に接離する方向に移動させて照射角を変化させるものがある（特許文献１）。あるいはその逆に、光制御部材を固定して該光制御部材に反射傘を接離する方向に移動させて照射角を変化させるものもある（特許文献２）。
【０００４】
また、閃光放電管を反射傘内で移動させて（反射傘の底部に接離する方向に移動させて）反射傘に対する閃光放電管の位置関係を変化させることにより照射角を変化させるものもある（特許文献３）。
【０００５】
しかしながら、前者の方式の場合、光制御部材あるいは反射傘の移動で照射角を変化させていたため、光制御部材あるいは反射傘の移動スペースが必要であり、小型化が制約される、という問題があり、一方、後者の方式の場合、閃光放電管及び反射傘の位置関係を変化させて照射角を変化させていたため、閃光放電管の移動量が反射傘の大きさによって制約され、照射角の変化が少ない、という問題があった。
【０００６】
そこで、これらの問題を解決すべく、光制御部材を反射傘に接離する方向に移動させると共に、閃光放電管を反射傘内で移動させて照射角を変化させるものが提案されている（特許文献４）。
【０００７】
ところで、上記何れの照射角可変ストロボ装置にあっても、移動側要素（特許文献１であれば、光制御部材、特許文献２であれば、反射傘、特許文献３であれば、閃光放電管、特許文献４であれば、光制御部材及び閃光放電管）のわずかな移動量の狂いが照射角の大きな変化につながるため、移動側要素の移動及び位置決めを極めて高精度に制御する必要性が従来より認識されている。従って、移動側要素の移動を自動的に制御する場合、その駆動手段の駆動源としてステッピングモータを使用し、極めて正確且つ瞬時に移動側要素を所定の距離移動させて停止させることが考えられる。
【０００８】
しかしながら、ステッピングモータを用いて正確な移動側要素の移動及び位置決めを実現できたとしても、製造時における組立精度の誤差を鑑みると、移動側要素の移動ストローク内に該移動側要素が適宜位置に位置したことを検出できる位置検出手段を設け、この手段により検出された位置を基準位置として先のステッピングモータと組み合わせることにより、移動側要素の移動動作を基準位置からのステッピングモータのステップ数で制御する構成が重要となってくる（例えば特許文献５）。
【０００９】
【特許文献１】
実開昭５３−６２３３０号公報
【特許文献２】
特開昭６０−８３９２１号公報
【特許文献３】
特公昭６２−５１４５３号公報
【特許文献４】
特開平２−２９１５３８号公報
【特許文献５】
特開平９−３１８９９６号公報
【００１０】
【発明が解決しようとする課題】
しかしながら、上記特許文献５に記載された技術は、移動側要素の絶対的な基準位置を把握しているのであって、被移動側要素（特許文献１であれば、反射傘あるいは閃光放電管、特許文献２であれば、光制御部材、特許文献３であれば、反射傘あるいは光制御部材、特許文献４であれば、反射傘）に対する移動側要素の相対的な基準位置を把握しているわけではない。従って、位置検出手段の取付位置精度にバラツキがある場合や位置検出手段の位置検出精度にバラツキがある場合、各製品毎に被移動側要素に対する移動側要素の相対的な基準位置にバラツキが生じ、その結果、各製品毎にテレ端位置及びワイド端位置における照射角にバラツキが生じるという問題があった。
【００１１】
また、位置精度を良くするために基準位置をテレ端の閃光放電管が反射傘に当たる位置にすると、クラッチ機構が必要となる問題があった。
【００１２】
本発明は、特許文献４に記載の閃光放電管及び反射傘の双方を移動させてテレ端位置とワイド端位置とを得る構成に着目してなされたもので、各製品毎にテレ端位置及びワイド端位置における照射角にバラツキが生じることのない照射角可変ストロボ装置及びこれにおけるテレ端位置又はワイド端位置の特定方法を提供することを課題とする。
【００１３】
【課題を解決するための手段】
本発明に係る照射角可変ストロボ装置は、上記課題を解決するためになされたものであり、閃光放電管と、該閃光放電管を内挿する有底形状からなる反射傘と、該反射傘の前方に配置される光制御部材とを備え、反射傘が光制御部材に接離する方向に移動可能で且つ閃光放電管が反射傘よりも大きい移動ストロークを以て該反射傘と同期して光制御部材に接離する方向に移動可能に構成されてなる照射角可変ストロボ装置であって、移動する閃光放電管及び反射傘が適宜位置に位置したことをそれぞれ検出する位置検出手段を備え、両者の検出位置間隔に応じて決定される何れか一方の検出位置からテレ端位置又はワイド端位置までの距離に基づき、テレ端位置又はワイド端位置を特定することを特徴とする。
【００１４】
また、本発明に係る照射角可変ストロボ装置におけるテレ端位置又はワイド端位置の特定方法は、移動する閃光放電管及び反射傘が適宜位置に位置したことをそれぞれ検出する位置検出手段により両者の検出位置間隔を求め、これに応じて何れか一方の検出位置からテレ端位置又はワイド端位置までの距離を決定し、これに基づいてテレ端位置又はワイド端位置を特定することを特徴とする照射角可変ストロボ装置におけるテレ端位置又はワイド端位置の特定方法。
【００１５】
また、本発明に係る照射角可変ストロボ装置は、前記検出位置間隔と何れか一方の検出位置からテレ端位置又はワイド端位置までの距離との対応関係を規定するテーブルを参酌することにより、何れか一方の検出位置からテレ端位置又はワイド端位置までの距離を決定する構成を採用することができる。
【００１６】
【発明の実施の形態】
以下、本発明の実施の形態について、図面を用いて説明する。
【００１７】
本実施形態に係る照射角可変ストロボ装置は、図１及び図２に示す如く、閃光放電管１と、該閃光放電管１を内挿する有底形状からなる第一反射傘２と、該第一反射傘２を内挿可能な枠形状からなる第二反射傘３と、該第二反射傘３の前面に配置される光制御部材４，５とを備え、第一反射傘２が第二反射傘３内を出退するようにして光制御部材４，５に接離する方向に移動可能で且つ閃光放電管１も光制御部材４，５に接離する方向に移動可能に構成されている。
【００１８】
これを具体的に実現したものを図３に示す。第一反射傘２は、第一可動体６によって保持されている。閃光放電管１は、その両端が第二可動体７によって保持されている。第二反射傘３は、ハウジング８によって保持されている。該ハウジング８は、第一可動体６及び第二可動体７を内挿するもので、照射角可変ストロボユニットとしての筐体を兼ねている。また、第一可動体６及び第二可動体７は、ハウジング８に設けられたガイド９にそれぞれスライド可能に取り付けられ、光制御部材４，５（図示しないが、ハウジング８の前面開口部に取り付けられる）に接離する方向に可動となっている。
【００１９】
ハウジング８には、第一可動体６及び第二可動体７を移動させるための駆動手段１０が設けられている。該駆動手段１０は、第一可動体６及び第二可動体７の移動方向と直交する方向に沿った出力軸を有するモータ１１と、該モータ１１の出力軸に螺合されたカム板１２とを備えている。該カム板１２は、モータ１１をハウジング８に取り付けるためのフレーム１３に設けられたガイド１４にスライド可能に取り付けられ、回転が規制された状態で第一可動体６及び第二可動体７の移動方向と直交する方向に可動となっている。
【００２０】
カム板１２は、該カム板１２の移動方向に対して傾斜する二つのカム溝１２ａ，１２ｂを備えている。第一カム溝１２ａには、第一可動体６の一部（突出したピン）６ａが係入され、第二カム溝１２ｂには、第二可動体７の一部（突出したピン）７ａが係入されている。また、カム板１２の移動方向に対する第二カム溝１２ｂの傾斜角は、カム板１２の移動方向に対する第一カム溝１２ａの傾斜角よりも大きく設定されている。
【００２１】
従って、図４（イ）に示すテレ端位置から、モータ１１が正回転駆動すれば、カム板１２が一方側に移動し、これに伴って変位するカム溝１２ａ，１２ｂによりそれぞれピン６ａ，７ａが光制御部材４，５側に付勢を受けて第一可動体６及び第二可動体７が光制御部材４，５側に押し出されることとなり、第一反射傘２は第二反射傘３内に進入すると共に、閃光放電管１は第一反射傘２よりも大きい移動ストロークのために該第一反射傘２の底部２ａから離間した状態となり、その結果、閃光放電管１が光制御部材４，５に最も接近したワイド端位置となる（図４（ロ））。
【００２２】
一方、図４（ロ）に示すワイド端位置から、モータ１２が逆回転駆動すれば、カム板１２が反対側に移動し、これに伴って変位するカム溝１２ａ，１２ｂによりそれぞれピン６ａ，７ａが光制御部材４，５から離間する方向に付勢を受けて第一可動体６及び第二可動体７が光制御部材４，５から離間する方向に引き込まれることとなり、第一反射傘２は第二反射傘３から退避すると共に、閃光放電管１は第一反射傘２よりも大きい移動ストロークのために該第一反射傘２の底部２ａに接近した状態となり、その結果、閃光放電管１が光制御部材４，５から最も離間したテレ端位置となる（図４（イ））。
【００２３】
本実施形態の特徴部分は、図３に示す如く、ハウジング８に位置検出手段としてのフォトインタラプタ１５を備える一方、第一可動体６及び第二可動体７が同期して移動するのに伴ってフォトインタラプタ１５を通過するように検出片６ｂ，７ｂをそれぞれ第一可動体６及び第二可動体７に設けた点である。
【００２４】
図５は、その説明図である。まず、テレ端側からモータ１２を駆動して第一可動体６及び第二可動体７をワイド端側に移動させる。さすれば、まず、第一可動体６の検出片６ｂがフォトインタラプタ１５内に進入し、フォトインタラプタ１５がＯＮし（位置Ａ）、しかる後、検出片６ｂがフォトインタラプタ１５を通過すると、フォトインタラプタ１５が一旦ＯＦＦするが、次に、第二可動体７の検出片７ｂがフォトインタラプタ１５内に進入し、フォトインタラプタ１５が再度ＯＮする（位置Ｂ）。
【００２５】
一方、本実施形態に係る照射角可変ストロボ装置に備わっている制御部は、位置Ａの時点でモータ１２のパルスカウンタをリセットする。即ち、第一可動体６を位置検出した時点が基準位置となる。次に、制御部は、位置Ａ及び位置Ｂ間のパルスカウント数を求めてテーブルを参照する。テーブルには、位置Ａ及び位置Ｂ間のパルスカウント数と基準位置（位置Ａ）からテレ端位置Ｃ間の任意の位置までのパルスカウント数との対応関係が規定されている。よって基準位置（位置Ａ）からテレ端位置Ｃまでのパルスカウント数は、テレ端位置における第一可動体６（の検出片６ｂ）及び第二可動体７（の検出片７ｂ）間の設計上の距離ｃを実現するための値である。
【００２６】
例えば、フォトインタラプタ１５が設計通りの取付位置であれば、位置Ａ及び位置Ｂ間のパルスカウント数はａであり、これに対応するテーブル上での基準位置（位置Ａ）からテレ端位置Ｃまでのパルスカウント数はｂである。ところが、フォトインタラプタ１５がテレ端側にずれている場合、位置Ａ及び位置Ｂ間のパルスカウント数はａよりも長いａ’となるため、これに対応するテーブル上での基準位置（位置Ａ）からテレ端位置までのパルスカウント数はｂよりも短いｂ’となる。一方、フォトインタラプタ１５がワイド端側にずれている場合、位置Ａ及び位置Ｂ間のパルスカウント数はａよりも短いａ’’となるため、これに対応するテーブル上での基準位置（位置Ａ）からテレ端位置までのパルスカウント数はｂよりも長いｂ’’となる。尚、図では、理解を深めるために、フォトインタラプタ１５のずれ量を過大に表示しているが、実際は微小なずれである。
【００２７】
制御部は、実測の位置Ａ及び位置Ｂ間のパルスカウント数からテーブルを参照して基準位置（位置Ａ）からテレ側、例えばテレ端位置Ｃまでのパルスカウント数を決定し、この値に基づいてモータ１２を制御する。即ち、パルスカウンタが基準位置（位置Ａ）からテレ端位置Ｃまでのパルスカウント数となるようにモータ１２を駆動すれば、テレ端位置となり、この状態からモータ１２にテレ端位置Ｃ及びワイド端位置Ｄ間のパルスカウント数（これは既知）を与えると、ワイド端位置となる。
【００２８】
従って、本実施形態に係る照射角可変ストロボ装置によれば、フォトインタラプタ１５の取付位置精度にバラツキがある場合やフォトインタラプタ１５の位置検出精度にバラツキがある場合であっても、位置Ａ及び位置Ｂ間のパルスカウント数をフォトインタラプタ１５で求めることにより、光制御部材４，５に対する閃光放電管１及び第一反射傘２の適正なテレ端位置及びワイド端位置等の特定をすることができるため、フォトインタラプタ１５の取付位置の調整は不要となる。
【００２９】
尚、本発明は、上記実施形態に限定されるものではなく、本発明の要旨を逸脱しない範囲で種々の変更が可能である。
【００３０】
例えば、上記実施形態においては、テレ端側からワイド端側に移動させる過程において、第一可動体６及び第二可動体７の位置検出間隔（閃光放電管１側及び第一反射傘２側に設けられた検出片６ｂ，７ｂの位置検出間隔）を求め、該間隔に基づいてテレ端位置を特定するようにしているが、ワイド端側からテレ端側に移動させる過程において、第一可動体６及び第二可動体７の位置検出間隔を求め、該間隔に基づいてワイド端位置を特定するようにしてもよい。また、テーブルによらず、演算により求めるようにしてもよい。
【００３１】
また、初期に位置設定を行い、それ以降はパルス数のみによって現在位置を認識させても良い。
【００３２】
また、上記実施形態においては、光制御部材４，５側の開口部がそれと反対側の開口部よりも拡開された形状である第二反射傘３を設けているが、これは必須ではない。但し、テレ端位置において第一反射傘２から射出された光の一部が光制御部材４，５を通らずに外部に漏れて照射光の全体光量が低下するのを防止できる点で、第二反射傘３を設ける方がよい。
【００３３】
また、上記実施形態においては、第一反射傘２と第一可動体６とは別体構造であり、第二反射傘３とハウジング８とは一体構造であるが、第一反射傘２と可動体７、第二反射傘３とハウジング８は、それぞれ一体構造であっても別体構造であってもどちらでもよい。
【００３４】
【発明の効果】
以上の如く、本発明によれば、位置検出手段の取付位置精度にバラツキがある場合や位置検出手段の位置検出精度にバラツキがある場合であっても、閃光放電管及び反射傘の位置検出間隔を求めることにより、光制御部材に対する閃光放電管及び反射傘の適正なテレ端位置及びワイド端位置を特定することができるため、各製品毎にテレ端位置及びワイド端位置における照射角にバラツキが生じることはなくなる。また、精度を上げるためのクラッチ機構の必要がなくなる。
【図面の簡単な説明】
【図１】本実施形態に係る照射角可変ストロボ装置の概略構成分解斜視図
【図２】同実施形態の照射角可変ストロボ装置の概略構成であって、
（イ）テレ端位置の側面図
（ロ）中間状態の側面図
（ハ）ワイド端位置の側面図
【図３】同実施形態の照射角可変ストロボ装置の分解斜視図
【図４】同実施形態の照射角可変ストロボ装置であって、
（イ）テレ端位置の斜視図
（ロ）ワイド端位置の斜視図
【図５】同実施形態の位置検出態様の説明図
【符号の説明】
１  閃光放電管
２  第一反射傘（反射傘）
２ａ  底部
３  第二反射傘
４，５  光制御部材
６  第一可動体
６ａ  ピン
６ｂ  検出片
７  第二可動体
７ａ  ピン
７ｂ  検出片
８  ハウジング
１２  カム板
１２ａ  カム溝
１２ｂ  カム溝
１５  フォトインタラプタ（位置検出手段）
【図１】
2005031173.tif 000003
【図２】
2005031173.tif 000004
【図３】
2005031173.tif 000005
【図４】
2005031173.tif 000006
【図５】
2005031173.tif 000007